(57)【要約】  表示制御装置は、所定の音声データの音圧レベル分布と、音声データを記録する際の量子化ビット数に対応する記録可能範囲とを表示部に表示する制御部を有する。図５
2019049544.tif 000002
【特許請求の範囲】
【請求項１】
所定の音声データの音圧レベル分布と、前記音声データを記録する際の量子化ビット数に対応する記録可能範囲とを表示部に表示する制御部を有する
表示制御装置。
【請求項２】
前記制御部は、前記音圧レベル分布を取得する
請求項１に記載の表示制御装置。
【請求項３】
前記制御部は、所定の処理に応じて前記音圧レベル分布をリセットして再取得する
請求項２に記載の表示制御装置。
【請求項４】
前記音圧レベル分布は、音声データの単位時間当たりのピークレベルの発生頻度を示す
請求項１に記載の表示制御装置。
【請求項５】
前記制御部は、前記ピークの発生頻度を、色を用いて又はグラフ化して表示する
請求項４に記載の表示制御装置。
【請求項６】
前記制御部は、前記音圧レベル分布と、前記記録可能範囲とを近接した位置に表示する
請求項１に記載の表示制御装置。
【請求項７】
前記制御部は、前記量子化ビット数より高い量子化ビット数に対応する他の記録可能範囲を、前記記録可能範囲と重畳して表示する
請求項６に記載の表示制御装置。
【請求項８】
前記制御部は、コンプレッサに関する情報を前記表示部に表示する
請求項１に記載の表示制御装置。
【請求項９】
前記コンプレッサに関する情報は、少なくともコンプレッサの動作開始点に関する情報を含む
請求項８に記載の表示制御装置。
【請求項１０】
前記制御部は、前記記録可能範囲と、前記コンプレッサに関する情報とを形状が変化する図形により表示する
請求項８に記載の表示制御装置。
【請求項１１】
前記制御部は、前記記録可能範囲を矩形状の枠部により表示する
請求項１に記載の表示制御装置。
【請求項１２】
前記枠部が有する対向辺が、フルスケール及びノイズフロアにそれぞれ対応している
請求項１１に記載の表示制御装置。
【請求項１３】
前記制御部は、前記枠部内にコンプレッサに関する情報を表示する
請求項１１に記載の表示制御装置。
【請求項１４】
前記記録範囲内に対応する音声データを記録する記録部を有する
請求項１に記載の表示制御装置。
【請求項１５】
前記表示部を有する
請求項１に記載の表示制御装置。
【請求項１６】
制御部が、所定の音声データの音圧レベル分布と、前記音声データを記録する際の量子化ビット数に対応する記録可能範囲とを表示部に表示する
表示制御方法。
【請求項１７】
制御部が、所定の音声データの音圧レベル分布と、前記音声データを記録する際の量子化ビット数に対応する記録可能範囲とを表示部に表示する
表示制御方法をコンピュータに実行させるプログラム。
【発明の詳細な説明】
【技術分野】
【０００１】
本開示は、表示制御装置、表示制御方法及びプログラムに関する。
【背景技術】
【０００２】
入力される音声に関する表示の一つとして、音圧及びピーク値をリアルタイムに表示するピークレベルメータが知られている（例えば、特許文献１を参照のこと）。
【先行技術文献】
【特許文献】
【０００３】
【特許文献１】特開２００７−２５００１号公報
【発明の概要】
【発明が解決しようとする課題】
【０００４】
ピークレベルメータによれば、ユーザは、瞬間的な最大音圧（ピークレベル）に関してしか知ることができないという問題があった。【０００５】
従って、本開示は、入力される音声に対して適切な表示を行うことができる表示制御装置、表示制御方法及びプログラムを提供することを目的の一つとする。
【課題を解決するための手段】
【０００６】
本開示は、例えば、
所定の音声データの音圧レベル分布と、前記音声データを記録する際の量子化ビット数に対応する記録可能範囲とを表示部に表示する制御部を有する
表示制御装置である。【０００７】
本開示は、例えば、
制御部が、所定の音声データの音圧レベル分布と、前記音声データを記録する際の量子化ビット数に対応する記録可能範囲とを表示部に表示する
表示制御方法である。【０００８】
本開示は、例えば、
制御部が、所定の音声データの音圧レベル分布と、前記音声データを記録する際の量子化ビット数に対応する記録可能範囲とを表示部に表示する
表示制御方法をコンピュータに実行させるプログラムである。
【発明の効果】
【０００９】
本開示の少なくとも実施形態によれば、入力される音声に対して適切な表示を行うことができる。なお、ここに記載された効果は必ずしも限定されるものではなく、本開示中に記載されたいずれの効果であってもよい。また、例示された効果により本開示の内容が限定して解釈されるものではない。
【図面の簡単な説明】
【００１０】
【図１】図１は、実施形態に係る表示制御装置の構成例を示すブロック図である。
【図２】図２Ａ及び図２Ｂは、量子化ビット数に対応する記録可能範囲を模式的に示した図である。
【図３】図３Ａ及び図３Ｂは、量子化ビット数に対応する記録可能範囲と音源に含まれる信号の範囲とを模式的に示した図である。
【図４】図４Ａ及び図４Ｂは、量子化ビット数に対応する０ｄＢＦＳを調整した例を示す図である。
【図５】図５は、第１の実施形態に係る表示例等を示す図である。
【図６】図６は、ダイナミックレンジを圧縮する方法を説明する際に参照する図である。
【図７】図７は、第２の実施形態に係る表示例等を示す図である。
【発明を実施するための形態】
【００１１】
以下、本開示の実施形態等について図面を参照しながら説明する。なお、説明は以下の順序で行う。
＜１．第１の実施形態＞
＜２．第２の実施形態＞
＜３．変形例＞
以下に説明する実施形態等は本開示の好適な具体例であり、本開示の内容がこれらの実施形態等に限定されるものではない。
【００１２】
＜１．第１の実施形態＞
［表示制御装置の構成例］
図１は、第１の実施形態に係る表示制御装置（表示制御装置１）の構成例を示すブロック図である。表示制御装置１は、例えば、音声を集音可能な機器、具体的には、撮像装置、スマートフォン、可搬型の録音機器、ウェアラブル機器等に適用され得る。
【００１３】
表示制御装置１は、例えば、マイクロフォン１１、Ａ／Ｄ（Analog to Digital）コンバータ１２、ＤＳＰ(Digital Signal Processor)１３、表示部１４、記録部１５、記録媒体１６及び操作入力部１７を有している。
【００１４】
マイクロフォン１１は、周囲の音声を集音するものであり、表示制御装置１に内蔵されるマイクロフォンのでも良いし、表示制御装置１に着脱自在とされるマイクロフォン（外部マイクロフォン）でも良い。音声は、音楽、人の声、自然音等、音であれば何でも良い。マイクロフォン１１は、集音した音声に対応する所定のアナログ音声データをＡ／Ｄコンバータ１２に出力する。
【００１５】
Ａ／Ｄコンバータ１２は、マイクロフォン１１から供給されるアナログ音声データをデジタル音声データに変換する。Ａ／Ｄコンバータ１２は、高い量子化ビット数、例えば２４ビットでアナログ音声データをサンプリングする。なお、サンプリング周波数は、任意の値（例えば、９６ｋＨｚ（キロヘルツ））に設定される。サンプリング周波数９６ｋＨｚ、量子化ビット数２４ビットの音声データは、ハイレゾ（ハイレゾルーションの略）と称されることもある。Ａ／Ｄコンバータ１２は、量子化ビット数２４ビットでＡＤ変換することにより得られるデジタル音声データをデジタル音声データＤ１として出力する。
【００１６】
制御部の一例であるＤＳＰ１３は、表示制御装置１の各部を制御する。ＤＳＰ１３は、機能として、例えば、ピークレベル検出処理部１３ａ、ピークレベル積算処理部１３ｂ、積算値可視化処理部１３ｃ及びデジタル信号処理部１３ｄを有している。ピークレベル検出処理部１３ａは、ある単位時間でデジタル音声データＤ１をサンプリングし、そのサンプリング時におけるデジタル音声データＤ１のピークレベルを検出する。ピークレベルの検出周期は、適宜な値とすることができる。ピークレベル検出処理部１３ａによる処理結果は、ピークレベルメータとして表示部１４に表示される。
【００１７】
ピークレベル積算処理部１３ｂは、ピークレベル検出処理部１３ａによる検出結果に基づいて、デジタル音声データＤ１の単位時間当たりのピークレベルの発生頻度を積算する。積算値可視化処理部１３ｃは、ピークレベル積算処理部１３ｂの処理結果に基づいて、ピークレベルの発生頻度を可視化するための音圧レベル分布を取得する。そして、ＤＳＰ１３は、表示部１４を制御し、音圧レベル分布を表示部１４に表示する。
【００１８】
デジタル信号処理部１３ｄは、デジタル音声データＤ１に対して種々のデジタル信号処理を行う。デジタル信号処理としては、ＦＦＴ(Fast Fourier Transform)処理、デジタルフィルタリング処理、イコライザ処理等を挙げることができる。また、本実施形態に係るデジタル信号処理部１３ｄは、コンプレッサとして動作すると共に、２４ビットのデジタル音声データＤ１を記録に適応する量子化ビット数（例えば、１６ビット）のデジタル音声データＤ２に変換する変換部としても動作する。
【００１９】
表示部１４は、ＤＳＰ１３の制御に応じて所定の情報を表示するディスプレイである。ディスプレイとしては、ＬＣＤ(Liquid Crystal Display)や有機ＥＬ（Electro Luminescence）等を挙げることができる。表示部１４に表示される情報の詳細は後述する。
【００２０】
記録部１５は、記録媒体１６にデジタル音声データを記録するものである。記録部１５は、例えば、ＤＳＰ１３から供給されるデジタル音声データＤ２を記録する。デジタル音声データＤ２は、デジタル音声データＤ１が量子化ビット数１６ビットで変換されたデータである。
【００２１】
記録媒体１６は、表示制御装置１に内蔵されるハードディスク等でも良いし、ＵＳＢ(Universal Serial Bus)メモリ、光ディスク、ＳＤカード等の可搬型メモリでも良く、少なくともマイクロフォン１１により集音された音に対応する音声データを記録できるものであれば何でも良い。
【００２２】
操作入力部１７は、表示制御装置１に設けられるボタン等のユーザインターフェースを総称したものである。操作入力部１７は、ボタン等の機械的なスイッチでも良いし、タッチスクリーンでも良いし、これらの両方であっても良い。また、操作入力部１７は、表示制御装置１を遠隔操作可能なリモートコントロール装置、タブレット型コンピュータ、スマートフォン等でも良い。本実施形態では、表示部１４がタッチスクリーンとして機能する。操作入力部１７に対してなされた操作入力に応じて操作入力部１７は操作信号を生成し、当該操作信号をＤＳＰ１３に供給する。ＤＳＰ１３は、操作信号に応じた処理を行う。
【００２３】
［音声データを記録する際に考慮すべき問題］
ここで、音声データを記録する際に考慮すべき問題について説明する。上述したように、ピークレベルメータでは、その瞬間におけるピークレベルしか表示することができない。従って、ユーザは、例えば、収録中の音源（入力される音声）の音圧の範囲や、ピークレベルの発生頻度の分布が直感的に分からなかった。高い（大きい）量子化ビット数から記録媒体１６に記録するために低い（小さい）量子化ビット数に変換する際に、記録範囲やコンプレッサに関する設定を行う必要があり得るが、ピークレベルメータで提供される情報では、効果的な設定を行うための情報としては不十分であった。このため、ある固定の比率で圧縮したり、若しくは、ピークの値のみに値を合わせて自動で補正を行っているのが現状であった。なお、記録媒体１６が対応する規格や、記録媒体１６の残記録容量、ユーザ設定等に応じて高い量子化ビット数でサンプリングされたデジタル音声データから低い量子化ビット数でサンプリングされたデジタル音声データへの変換が行われる。以上の点を踏まえ、本開示の実施形態について更に説明する。
【００２４】
［記録可能範囲に関する表示］
（０ｄＢＦＳの設定）
次に、記録可能範囲に関する表示について図２〜図４を参照して説明する。図２Ａは、２４ビットのダイナミックレンジを矩形の枠で模式的に示した図である。また、図２Ｂは、１６ビットのダイナミックレンジを矩形の枠で模式的に示した図である。図２Ａ及び図２Ｂにおいて、矩形上部の辺部は、最大の信号レベルである０デシベルフルスケール（以下、０ｄＢＦＳと適宜、表記する）に対応しており、底辺はノイズフロアに対応している。２４ビットの場合は−１４４ｄＢＦＳ、１６ビット場合は−９６ｄＢＦＳのノイズフロアを有する。一般に、ダイナミックレンジは最大の信号レベルとノイズフロアとの差で規定されることから、図２Ａ及び図２Ｂのそれぞれにおいて、長手方向の長さがダイナミックレンジに対応している。ダイナミックレンジの範囲外の信号、換言すれば、ノイズフロア以下の信号は表現することができない（記録することができない。）。
【００２５】
図３Ａ及び図３Ｂは、図２Ａ及び図２Ｂに示したダイナミックレンジに対して、ある音源に含まれる信号の範囲を模式的に示した図である。図３Ａ及び図３Ｂでは、音源の範囲を楕円により示している。２４ビットの場合は、図３Ａに例示した音源の全ての範囲を記録することができる。１６ビットの場合は、図３Ｂに例示した音源のうち−９６ｄＢＦＳ以下の信号は記録することができない（なお、図３Ｂでは、記録することができない範囲（−９６ｄＢＦＳより小さい範囲、より具体的には、−９６ｄＦＳ〜−１４４ｄＦＳの範囲）に斜線を付した上、雑音と表記している。）。
【００２６】
ところで、図４Ａに例示した音源の場合、０ｄＢＦＳ付近には信号がない。従って、図４Ｂに模式的に示すように、０ｄＢＦＳの位置を適切な位置に変更して記録を行えば、音源に含まれる全ての信号を記録することが可能となる。
【００２７】
（表示例）
以上、説明したように、例えば、音源の音声データを２４ビットでサンプリングし、１６ビットで記録する場合に、音源の特徴に応じて０ｄＢＦＳの位置を設定することにより、音声データの適切な記録が可能となる。従って、音源の特徴を例えば表示によりユーザに提供すれば、ユーザは当該表示を参照して０ｄＢＦＳの位置を適切に設定することができる。
【００２８】
図５は、第１の実施形態において表示される表示例（表示５）を示している。表示５は、例えば、表示部１４に表示される。表示５は、例えば、矩形状の枠部２２を含む、枠部２２は、短手方向において対向する辺部２３ａ、２３ｂを有し、且つ、長手方向において対向する辺部２４ａ、２４ｂを有している。辺部２３ａの右側には「ＦＵＬＬ」との文字が表示されている。辺部２３ａは、２４ビットに対応する０ｄＢＦＳに対応している。また、辺部２３ｂの右側には「−∞」と記載されており、デジタル的な０（本例では、２４ビットに対応するノイズフロア（−１４４ｄＢＦＳ））に対応している。
【００２９】
また、枠部２２は、中央付近に、長手方向に延在する分割辺部２５を有している。分割辺部２５により、枠部２２で囲われる領域が、左右方向の２つの領域に分割されている。左側の領域には、左チャンネル（Ｌ）の音量レベル及び右チャンネル（Ｒ）の音量レベルを表示するピークレベルメータ２６が表示される。
【００３０】
また、右側の領域には音圧レベル分布表示２７が表示される。音圧レベル分布表示２７の一例について説明する。図５の右側に記載されているグラフは、ある音源の音圧レベル分布を示すグラフである。当該グラフにおいて、横軸は単位時間当たりのピークレベルの発生頻度を示しており、縦軸は音圧を示している。図示の例では、ピークレベルがＸ１の発生頻度が最も高くなっている。本実施形態に係る音圧レベル分布表示２７は、グラフで示される音圧レベル分布を、色を用いて表す。例えば、発生頻度に対して複数の閾値を設定し、発生頻度が高い順に、赤色、橙色、黄色、緑色、無色を表示し、これにより音圧レベル分布を表す。異なる色ではなく、発生頻度が高い順に色が濃くなるように、色の濃淡を変更して音圧レベル分布を表すようにしても良い。なお、図５に示すグラフが音圧レベル分布表示２７と共に表示されても良いし、音圧レベル分布表示２７に替えて表示されても良い。即ち、音圧レベル分布表示２７がグラフにより表示されても良い。
【００３１】
更に、表示５は、矩形状の枠部３２を含む。枠部３２は、枠部２２に重畳して表示される。本実施形態における重畳とは、互いの枠部の少なくとも一部が重なっている若しくは交差していることを意味する。枠部３２は、短手方向において対向する辺部３３ａ、３３ｂを有し、且つ、長手方向において対向する辺部３４ａ、３４ｂを有している。辺部３３ａ、３３ｂのそれぞれが、枠部３２の辺部２４ａ、２４ｂと交差している。辺部３３ａの左側には０ｄＢと表示されている。即ち、辺部３３ａは、１６ビットの０ｄＢＦＳに対応している。また、辺部３３ｂは、１６ビットのノイズフロア（−９６ｄＢ）に対応している。これにより、音圧レベル分布表示２７と、音声データを記録する際の量子化ビット数である１６ビットに対応する記録可能範囲とが近接した位置に表示される。近接した位置の具体例は、記録可能範囲の表示内に音圧レベル分布表示２７の少なくとも一部が含まれるように、音圧レベル分布表示２７と記録可能範囲とが表示される位置である。
【００３２】
ユーザは、操作入力部１７に対する操作入力を行うことにより、枠部３２全体を例えば上下方向に移動する。音圧レベル分布表示２７における例えば着色された箇所全てが枠部３２内に位置するように枠部３２を移動すれば、記録しようとする音声の帯域に対して十分なダイナミックレンジを有していることになる。また、着色された箇所全てを枠部３２内に収めることができない場合でも、発生頻度が高いことに対応する色（例えば、赤色等）を含むように、枠部３２の位置を調整すれば、記録しようとする音声の特徴（例えば、音圧分布）に適したダイナミックレンジの設定が可能となる。以上のように、音圧レベル分布表示２７を一つの指標として表示し、且つ、１６ビットでの記録可能範囲を表示することにより、１６ビットによる記録可能範囲を効果的に使用した録音が可能となる。
【００３３】
［動作例］
次に、表示制御装置１の動作例について説明する。マイクロフォン１１により集音が行われる。マイクロフォン１１から出力されたアナログ音声データがＡ／Ｄコンバータ１２により量子化ビット数２４ビットでサンプリングされ、ＡＤ変換される。Ａ／Ｄコンバータ１２から出力されたデジタル音声データＤ１がＤＳＰ１３に供給される。
【００３４】
ＤＳＰ１３のピークレベル検出処理部１３ａは、デジタル音声データＤ１のピークレベルを検出する。ピークレベル検出処理部１３ａによる検出結果に応じてＤＳＰ１３は表示部１４を制御し、当該制御に応じてピークレベルメータ２６が表示部１４に表示される。
【００３５】
また、ピークレベル積算処理部１３ｂによりピークレベルの発生頻度が積算され、その結果に応じて、積算値可視化処理部１３ｃが、音圧レベル分布表示を表示するためのデータ（例えば、音圧と当該音圧に対応する単位時間当たりの発生頻度）を取得する。そして、取得したデータに基づいてＤＳＰ１３が表示部１４を制御し、当該制御に応じて音圧レベル分布表示２７が表示部１４に表示される。また、ＤＳＰ１３は、表示部１４に枠部２２及び枠部３２を表示する。
【００３６】
ユーザによる操作入力部１７を使用した操作により、枠部３２の位置が調整される。調整の結果、１６ビットに対応するダイナミックレンジが設定される。デジタル信号処理部１３ｄは、設定されたダイナミックレンジに基づいて、デジタル音声データＤ１を量子化ビット数１６ビットで再度変換し、その結果をデジタル音声データＤ２として出力する。デジタル音声データＤ２が記録部１５により記録媒体１６に記録される。
【００３７】
［効果］
以上、説明した第１の実施形態によれば、例えば、以下の効果を得ることができる。
音声を実際に記録媒体に記録するより高い量子化ビット数でサンプリングした後、それより低い量子化ビット数で記録する場合に、記録する音声の音圧レベル分布をユーザに対して表示することができ、且つ、記録可能範囲を表示することができる。従って、ユーザは、記録しようとする音声の特徴に応じて、量子化ビット数に対応する記録可能範囲を適切に設定することができ、効果的な録音が可能となる。
【００３８】
＜２．第２の実施形態＞
次に、第２の実施形態について説明する。なお、第１の実施形態で説明した事項は、特に断らない限り第２の実施形態にも適用することができ、同様、同質の構成については同一の符号を付し重複した説明を省略する。第２の実施形態に係る表示制御装置としては、第１の実施形態で説明した表示制御装置１を適用することができる。
【００３９】
第２の実施形態は、ＤＳＰ１３が表示部１４を制御して、コンプレッサに関する情報を表示する例である。図６に示すように、コンプレッサをかけることによりダイナミックレンジを圧縮する方法が知られている。例えば、入力があるレベルを超えたところでコンプレッサをかけ、入力に対する出力を圧縮して記録する。図６では、コンプレッサがかかる動作開始点がＸ２で模式的に示されている。
【００４０】
図７を参照して、コンプレッサに関する情報の表示例について説明する。図７において、中央に位置する図がコンプレッサに関する情報の表示例（表示５ａ）である。なお、表示５ａにおいて、枠部２２、ピークレベルメータ２６、音圧レベル分布表示２７等の表示は上述した表示５と同様であるので、重複した説明を省略すると共に、参照符号の一部を省略して図示している。図７において、左側の図は、コンプレッサがかかっていない場合の枠部３２を示している。また、右側の図は、横軸が入力を示し、縦軸が出力を示す、コンプレッサの動作例を示しているグラフ６である。なお、本実施形態では、グラフ６は表示部１４に表示されないが、表示されても構わない。
【００４１】
例えば、コンプレッサに関する情報の表示をオンする操作やモードに応じて、コンプレッサに関する情報が表示される。表示５ａは、コンプレッサに関する情報として、枠部３２内で水平方向に延在する辺部３６を含む。また、表示５ａは、コンプレッサに関する情報として、枠部３２内の領域において辺部３６より上の領域が着色された着色部３７を含む。着色部３７の色は、赤色等、任意の色とすることができる。着色部３７は、コンプレッサがかかる範囲（圧縮される範囲）を示している。従って、着色部３７の端部である辺部３６は、コンプレッサの動作開始点を示すものである。
【００４２】
ユーザは、音圧レベル分布表示２７を参照しながら、辺部３６を上下方向に移動させてコンプレッサの動作開始点を調整する。例えば、音圧レベル分布表示２７において、ピークレベルの発生頻度が低くなる箇所、換言すれば、着色部３７に含まれる信号成分が多くならないように辺部３６の位置を設定する。これにより、記録しようとする音声の特徴に合わせて、適切な箇所（レベル）をコンプレッサの動作開始点として設定することができる。デジタル信号処理部１３ｄは、辺部３６により設定されたコンプレッサの動作開始点に基づいて、コンプレッサを行う。
【００４３】
なお、上述したように、コンプレッサを動作させることにより記録可能範囲が大きくなることから、辺部３６の位置に応じて枠部３２の垂直方向の長さが変化する。即ち、本実施形態では、１６ビットに対応する記録可能範囲と、コンプレッサに関する情報とを形状が変化する枠部３２によって表示している。
【００４４】
枠部３２の水平方向の幅を調整可能とし、例えば、水平方向の幅が大きくなるに連れてコンプレッサにおける圧縮率を大きくし、水平方向の幅が小さくなるに連れてコンプレッサにおける圧縮率を小さくする処理が行われても良い。これにより、コンプレッサの圧縮率に関する設定も容易に行うことができる。また、音圧レベル分布表示２７を参照し、信号成分の分布範囲が広い場合に圧縮率を大きくすることにより、音声の特徴に応じた圧縮率を適切に設定することができる。
【００４５】
着色部３７に対応する領域は、網掛け等で表示されても良い。また、辺部３６だけの表示でも良く、コンプレッサに関する情報は、少なくともコンプレッサの動作開始点を含むものであれば良い。また、第２の実施形態において、第１の実施形態で説明した調整と同様の調整ができるようにしても良い。
【００４６】
＜３．変形例＞
以上、本開示の複数の実施形態について具体的に説明したが、本開示の内容は上述した実施形態に限定されるものではなく、本開示の技術的思想に基づく各種の変形が可能である。
【００４７】
上述した実施形態において、ピークレベル積算処理部が積算を開始するタイミングは、任意のタイミングとすることができる。例えば、表示制御装置１が撮像装置に適用される場合には、撮影（音の記録を含む）が開始されたタイミングや、記録する音声のレベルが変更されたタイミングや動画を撮影するタイミング、電源がオンされたタイミング（記録が開始される前でも良い）等でピークレベル積算処理部が積算を開始しても良い。また、第２の実施形態で説明したように、ダイナミックレンジの圧縮に関する設定がなされた後に、ピークレベル積算処理部が積算を開始しても良い。また、積算の対象となるデータも適宜、設定することができる。例えば、積算開始後の全てのデータを積算しても良いし、現在から所定期間前の期間で取得されたデータを積算するようにしても良い。
【００４８】
ピークレベル積算処理部が積算した結果が、所定の処理に応じてリセットされるようにしても良い。そして、リセットされたタイミングから、ピークレベル積算処理部が再度、積算を開始して音圧レベル分布を再取得するようにしても良い。リセットは、例えば、ユーザが操作入力部１７により所定の操作を行った処理に応じて行われる。これにより、録音対象の音声の特徴が大きく変わった場合でも、当該音声の音圧レベル分布を取得することが可能となり、上述した実施形態と同様にして、当該音声の特徴に対応する適切な設定が可能となる。
【００４９】
表示制御装置に係る構成は、適宜、変更することができる。例えば、表示制御装置が表示部を有しない構成でも良い。この場合、表示部はユーザが有するスマートフォン等の端末の表示部でも良く、当該表示部に上述した実施形態における表示がなされるようにしても良い。また、表示制御装置が記録部を有しない構成でも良い。そして、外部の記録装置（クラウドサーバ、パーソナルコンピュータ、スマートフォン等）においてデジタル音声データの記録が行われるようにしても良い。
【００５０】
上述した実施形態における表示は、適宜、変更することができる。例えば、上述した実施形態では、音圧レベル分布が垂直方向に沿って表示される例について説明したが、水平方向に沿って表示されるようにしても良い。また、枠部の形状は、矩形状に限らず楕円形状等であっても良い。また、ピークレベルメータは表示されなくても良い。また、機器内において自動で設定される枠部をユーザの参考のために表示しても良い。更に、上述した実施形態における表示のオン／オフをモードとして選択できるようにしても良い。
【００５１】
上述した実施形態における量子化ビット数は一例であり、量子化ビット数が他の場合（例えば３２ビット）でも本開示を適用することができる。
【００５２】
上述した各実施形態で説明した機能は、方法、プログラム、当該プログラムを記録した記録媒体等、任意の形態で実現することができる。また、当該プログラムをダウンロード可能としても良い。そして、他の装置（例えば、撮像装置、スマートフォン）が当該プログラムをダウンロードしてインストールすることにより、各実施形態で説明した機能を実現するようにしても良い。
【００５３】
上述の実施形態において挙げた構成、方法、工程、形状、材料及び数値などはあくまでも例に過ぎず、必要に応じてこれと異なる構成、方法、工程、形状、材料及び数値などを用いてもよい。上述した実施形態および変形例は、適宜組み合わせることができる。
【００５４】
本開示は、以下の構成も採ることができる。
（１）
所定の音声データの音圧レベル分布と、前記音声データを記録する際の量子化ビット数に対応する記録可能範囲とを表示部に表示する制御部を有する
表示制御装置。
（２）
前記制御部は、前記音圧レベル分布を取得する
（１）に記載の表示制御装置。
（３）
前記制御部は、所定の処理に応じて前記音圧レベル分布をリセットして再取得する
（２）に記載の表示制御装置。
（４）
前記音圧レベル分布は、音声データの単位時間当たりのピークレベルの発生頻度を示す
（１）から（３）までの何れかに記載の表示制御装置。
（５）
前記制御部は、前記ピークの発生頻度を、色を用いて又はグラフ化して表示する
（４）に記載の表示制御装置。
（６）
前記制御部は、前記音圧レベル分布と、前記記録可能範囲とを近接した位置に表示する
（１）から（５）までの何れかに記載の表示制御装置。
（７）
前記制御部は、前記量子化ビット数より高い量子化ビット数に対応する他の記録可能範囲を、前記記録可能範囲と重畳して表示する
（６）に記載の表示制御装置。
（８）
前記制御部は、コンプレッサに関する情報を前記表示部に表示する
（１）から（７）までの何れかに記載の表示制御装置。
（９）
前記コンプレッサに関する情報は、少なくともコンプレッサの動作開始点に関する情報を含む
（８）に記載の表示制御装置。
（１０）
前記制御部は、前記記録可能範囲と、前記コンプレッサに関する情報とを形状が変化する図形により表示する
（８）又は（９）に記載の表示制御装置。
（１１）
前記制御部は、前記記録可能範囲を矩形状の枠部により表示する
（１）から（１０）までの何れかに記載の表示制御装置。
（１２）
前記枠部が有する対向辺が、フルスケール及びノイズフロアにそれぞれ対応している
（１１）に記載の表示制御装置。
（１３）
前記制御部は、前記枠部内にコンプレッサに関する情報を表示する
（１１）又は（１２）に記載の表示制御装置。
（１４）
前記記録範囲内に対応する音声データを記録する記録部を有する
（１）から（１３）までの何れかに記載の表示制御装置。
（１５）
前記表示部を有する
（１）から（１４）までの何れかに記載の表示制御装置。
（１６）
制御部が、所定の音声データの音圧レベル分布と、前記音声データを記録する際の量子化ビット数に対応する記録可能範囲とを表示部に表示する
表示制御方法。
（１７）
制御部が、所定の音声データの音圧レベル分布と、前記音声データを記録する際の量子化ビット数に対応する記録可能範囲とを表示部に表示する
表示制御方法をコンピュータに実行させるプログラム。
【符号の説明】
【００５５】
１・・・表示制御装置、１１・・・マイクロフォン、１３・・・ＤＳＰ、１４・・・表示部、１５・・・記録媒体、２７・・・音圧レベル分布表示、３２・・・枠部
【図１】
2019049544.tif 000003
【図２】
2019049544.tif 000004
【図３】
2019049544.tif 000005
【図４】
2019049544.tif 000006
【図５】
2019049544.tif 000007
【図６】
2019049544.tif 000008
【図７】
2019049544.tif 000009
【国際調査報告】
2019049544.tif 000010
2019049544.tif 000011